(57)【特許請求の範囲】
【請求項１】
第１のコネクタ（６、８、１４）及び第２のコネクタ（９、１０、２０、３０）が各々設けられた長縁部（５ａ、５ｂ）及び短縁部（４ａ、４ｂ）を各々有する本質的に同じフロアパネル（１、１’、１’’）の組であって、
前記第１のコネクタおよび前記第２のコネクタは、前記フロアパネルと一体であり、隣接した縁部を連結するように形成されており、
前記第１のコネクタは、隣接した縁部を、隣接した縁部に対して直交する水平方向に連結するため、一つのフロアパネルの縁部に設けられた、上方に差し向けられた係止エレメント（８）を持つ係止ストリップ（６）と、別のフロアパネルの隣接した縁部に設けられた、下方に開放した係止溝（１４）とを含み、
前記第２のコネクタは、隣接した縁部を垂直方向で連結するため、前記一つのフロアパネルの縁部に、この縁部に対して垂直に水平方向に延びるように、設けられたタング（１０、３０）と、前記別のフロアパネルの隣接した縁部に設けられた水平方向に開放したタング溝（９、２０）とを含み、
前記長縁部に設けられた前記第１のコネクタおよび前記第２のコネクタは、傾けによって係止されるように形成されており、
前記短縁部に設けられた前記第１のコネクタおよび前記第２のコネクタは、垂直方向重ねによって係止されるように形成されており、
これによって、第２列Ｒ２の新たなパネル（１’）の長縁部は、第１列Ｒ１の第１パネル（１’’）の長縁部（５ｂ）に傾け移動によって連結されるように形成されており、
前記第２列Ｒ２の新たなパネル（１’）の短縁部（４ｂ）及び第２列Ｒ２の第２パネル（１）の短縁部（４ａ）は垂直方向重ね移動で連結されるように形成されている、フロアパネルの組において、
前記短縁部の前記タング（３０）は別の材料で形成されており、前記フロアパネルを垂直平面（ＶＰ）と平行する垂直方向（Ｄ１）で、互いに係止するため、重ね中に水平方向に変位し、隣接した短縁部の前記タング溝と協働するように形成された可撓性部分を備え、
前記長縁部の前記第１のコネクタ（６、８、１４）および前記第２のコネクタ（９、１０）は、前記第２列Ｒ２の新たなパネル（１’）の上縁を、前記第１列Ｒ１の第１パネル（１’’）の上縁に、主平面（ＨＰ）に対して少なくとも約１０°の所定角度で押し付けたとき、前記新たなパネル（１′）の前記短縁部（４ｂ）が、前記第２パネル（１）の前記短縁部（４ａ）の垂直方向重ね中に水平方向へ変位する可撓性部分と最初に当接する中間位置をとり、前記長縁部の前記第１のコネクタ（６、８、１４）および前記第２のコネクタ（９、１０）はこの中間位置において、前記第１のコネクタおよび前記第２のコネクタの隣接した部分間に少なくとも四つの別々の接触点（ＣＰ１、ＣＰ２、ＣＰ３、ＣＰ４）又は接触面を有し、
前記四つの接触点は、前記第２列Ｒ２の新たなパネル（１′）の長縁部のコネクタと、第１列Ｒ１の第１パネル（１″）の長縁部のコネクタの隣接した表面間に形成された、垂直方向上接触点（ＣＰ１）及び垂直方向下接触点（ＣＰ２）と、水平方向内接触点（ＣＰ３）及び水平方向外接触点（ＣＰ４）からなる、ことを特徴とするフロアパネルの組。
【請求項２】
請求項１に記載のフロアパネルの組において、
前記タング（３０）は、弓形形状部分を有し、長さ方向で可撓性である、ことを特徴とするフロアパネルの組。
【請求項３】
請求項１又は２に記載のフロアパネルの組において、
前記タング（３０）には可撓性突出部が設けられている、ことを特徴とするフロアパネルの組。
【請求項４】
請求項１に記載のフロアパネルの組において、
前記タング（３０）の一部分は、前記連結溝（４０）内に変位可能に配置されている、ことを特徴とするフロアパネルの組。
【請求項５】
請求項１に記載のフロアパネルの組において、
前記可撓性部分はスナップタブである、ことを特徴とするフロアパネルの組。
【請求項６】
請求項５に記載のフロアパネルの組において、
前記可撓性部分は、ストリップパネルに設けられたスナップタブであり、前記スナップタブは下方に延びる、ことを特徴とするフロアパネルの組。
【請求項７】
請求項１に記載のフロアパネルの組において、
前記第２列Ｒ２の新たなパネル（１′）の上縁を第１列Ｒ１の第１パネル（１″）の上縁に押付ける角度は少なくとも約１５°である、ことを特徴とするフロアパネルの組。
【発明の詳細な説明】
【技術分野】
【０００１】
本発明は、全体として、設置を容易にする、可撓性で変位可能なタングを持つ機械式係止システムを備えたフロアパネルの分野に関する。本発明は、新たな改良係止システム及び設置方法を提供する。
【背景技術】
【０００２】
本発明は、詳細には、長縁部及び短縁部を持つ矩形のフロアパネル用の機械式係止システムに関するが、これに限定されない。長縁部及び短縁部という用語は、単に説明を簡単にするために使用されるということを強調しておかなければならない。パネルは、正方形であってもよい。しかしながら本発明は、一般的には、建築用パネルにも適用できる。更に詳細には、本発明は、パネルの四つの縁部全てを一回の傾け作用によって他のパネルに対して係止できる種類の機械式係止システムに関する。この機械式係止システムは、好ましくは、建築用パネルの設置を容易にするため、可撓性又は部分的に可撓性のタング及び／又は変位可能なタング及び／又は可撓性タングストリップを含む。
【０００３】
この種のフロアパネルは、ＷＯ２００６／０４３８９３に記載されている。この文献には、水平方向で係止するため、係止溝と協働する係止エレメントと、垂直方向で係止するため、タング溝と協働する可撓性タングとを含む係止システムを備えたフロアパネルが開示されている。可撓性タングは、フロアパネルの連結中に水平平面内で曲がり、垂直方向重ねによって又は垂直方向移動だけでパネルを設置できる。「垂直方向重ね」という用語は、第１及び第２のパネルが連結状態にあり、「重ねパネル」と呼ぶ新たなパネルの一回の傾け作用で、新たなパネルの二つの垂直な縁部を第１及び第２のパネルに同時に連結した三つのパネルの連結を意味する。このような連結は、例えば、第１列の第１パネルが第２列の第２パネルの長縁部に既に連結されている場合に行われる。次いで、傾け移動により、新たな重ねパネルを第１列の第１パネルの長縁部に連結する。この特定の種類の傾け作用は、更に、新たな重ねパネルの短縁部と第２パネルとを連結し、「垂直方向重ね」と呼ばれる。これらの短縁部は、パネルを傾けによって下張り床まで下ろすとき、互いに徐々に重ねられ、一方の縁部部分から他方の縁部部分まで鋏みを閉じるように係止する。二枚のパネルは、パネル全体を専ら垂直方向移動によって別のパネルに対して下ろすことによって連結することもできる。この特定の種類の係止を「垂直方向係止」と呼ぶ。垂直方向重ねによって係止されるように設計されたフローリングシステムの第１列は、多くの場合、垂直方向係止によって連結される。この場合、一つの短縁部を別の短縁部に向かって垂直方向に押し下げる。他の列は、垂直方向重ねによって連結される。列を垂直方向係止で連結することによってもフロア全体を設置できる。次いで、完成した列を前に設置した列に傾けによって連結する。
【０００４】
更に、同様のフロアパネルがＷＯ２００６／０１６６５４に記載されている。この文献には、可撓性タブを備えたタング含む係止システムが開示されている。タングは、本質的に垂直方向に延びており且つ曲がり、垂直方向で係止するため、タブのチップがタング溝と協働する。
【０００５】
この種の垂直方向係止及び垂直方向重ねにより、可撓性タング又はタングの可撓性部分が長縁部の傾け中に水平方向に変位するとき、短縁部に分離圧力を発生する。本発明者は、幾つかの種類のフロアパネルを分析し、短縁部が設置中に互いから押し離され、短縁部の縁部部分間に隙間が形成されるという大きな危険があることを発見した。このような隙間は、これ以上の設置の邪魔になり、フロアパネルを連結することができなくなる。更に、短縁部の係止システムに重大な損傷を生じる場合がある。設置中にフロアボードを短縁部に向かって側方に押すことにより、隙間をなくすことができる。しかしながら、このような設置方法は複雑であり、使用が困難である。これは、以下に説明するように、長縁部の下方への傾けと関連して、三つの作用を組み合わせて同時に使用しなければならないためである。即ち、
ａ）新たなフロアパネルの縁部を、フロア上に設置した第１フロアパネルと接触させ、新たなパネルの長縁部を、傾け位置で、第１パネルに向かって前方に押圧しなければならず、
ｂ）新たなパネルを、押圧され且つ上方に傾けた位置で側方に変位させ、タングから逆方向に及ぼされる圧力に対抗するため、フロア上に設置した第２フロアパネルの短縁部に側方に押し付けなければならず、
ｃ）新たなパネルを、最終的に、フロアに向かって下方に傾けなければならず、傾け作用中、前方及び側方への圧力を維持しなければならない。
【０００６】
本発明者は、パネルの厚さが小さく、長縁部に小さくコンパクトな係止システムが設けられている場合、又はパネルコアが高密度ファイバボード（ＨＤＦ）等の表面が滑らかな材料で形成されている場合、分離及び設置の問題が生じるということを発見した。こうした問題は、パネルが短い場合にも生じ、又は各列の最初のパネル又は最後のパネルの設置と関連して生じる。これは、壁の位置に対してフロアを適合するため、設置が、一般的には、比較的小さい長さに切断したパネルを用いて行われるためである。勿論、分離の問題は、垂直方向重ね中に大きな水平方向分離圧力を発生する強い可撓性タングを持つ係止システムを使用する任意の種類のパネルにおいて、取り扱いが極めて困難である。このような強いタングは、高品質の垂直方向連結を必要とする多くの用途で非常に重要であり、このような可撓性タングを持つパネルは、周知の設置方法で設置するのが非常に困難である。
【先行技術文献】
【特許文献】
【０００７】
【特許文献１】ＷＯ２００６／０４３８９３
【特許文献２】ＷＯ２００６／０１６６５４
【発明の概要】
【発明が解決しようとする課題】
【０００８】
本発明は、垂直方向重ね又は垂直方向係止によって設置するようになったフローリングの分離の問題点を解決することを目的とする。
【課題を解決するための手段】
【０００９】
本明細書中以下の説明において、設置したフロアパネルの見える方の表面を「前面」と呼ぶのに対し、下張り床に面するフロアパネルの反対側を「後面」と呼ぶ。前面と後面との間の縁部を「接合縁」と呼ぶ。「水平平面」という用語は、表面層の外部分と平行に延びる平面を意味する。接合された二枚のフロアパネルの二つの隣接した接合縁のぴったりと向き合った並置された上部分が、水平平面に対して垂直な「垂直平面」を形成する。
【００１０】
「接合部」又は「係止システム」は、フロアパネルを垂直方向及び／又は水平方向で連結する協働連結手段を意味する。「機械式係止システム」は、接着剤を用いずに行うことができる接合を意味する。「と一体化した」というのは、パネルと一部品で形成された、又は工場でパネルに連結されたということを意味する。
【００１１】
「可撓性タング」は、接合縁に沿った長さ方向を持つ別体のタングを意味し、これは、垂直方向係止システムの一部を形成し、係止中に少なくとも部分的に水平方向に変位できる。例えば、タング全体を曲げることができてもよく、又は係止位置まで曲げることができる、又は曲げることができ且つその初期位置にばね作用で戻ることができる可撓性で弾性の部分を備えていてもよい。
【００１２】
「傾け移動」は、旋回移動によって行われる連結を意味する。傾け移動中、連結される又は取り外される二つの部分間で角度の変化が生じる。傾け移動が二つのフロアパネルの連結と関連している場合には、角度移動が、この移動の少なくとも部分中に、互いに少なくとも部分的に接触した接合縁の上部分で生じる。
【００１３】
「傾け係止システム」は、二つの隣接した縁部を垂直方向で係止するタング及び溝と、「ストリップパネル」と呼ばれるパネルの一つの縁部の、係止エレメントが設けられた係止ストリップであって、「溝パネル」とばれるパネルの他方の縁部の係止溝と協働し、これらの縁部を水平方向で係止する係止ストリップとを含む、傾けによって垂直方向及び水平方向で連結できる機械式係止システムを意味する。係止エレメント及び係止溝は、係止エレメントを係止溝内に案内する全体に丸みを付けたガイド面と、縁部間を係止し、水平方向分離を阻止する係止面とを有する。
【００１４】
「設置角度」は、一方のパネルが上方に傾けた位置にあり、その上縁部が、下張り床に平らに設置した別のパネルの上縁部に押し付けられた傾け設置の初期段階で、二つのパネル間で一般的に使用される角度を意味する。設置角度は、一般的には約２５°であり、この位置において、ストリップパネルと溝パネルとの間には接触点が二つしかない。非常に特殊な場合には、コネクタ間に二つ以上の接触点があり、設置角度が２５°よりも大きい。
【００１５】
「三点接触角度」は、係止システムの部分間に少なくとも三つの接触点がある場合の傾け中の二つのフロアパネル間の角度を意味する。
【００１６】
「接触角度」は、一つのパネルの短縁部を、水平方向に変位されるようになった可撓性タングの部分と最初に接触させたときの重ねパネルの角度を意味する。可撓性タングは、短縁部の垂直方向係止で作用する。
【００１７】
「ガイド角度」は、傾け中、係止ストリップ及び／又は係止溝の係止エレメントのガイド面が互いに接触した場合、又は係止エレメントの上部分又は係止溝の下部分の夫々と接触した場合の二つのフロアパネル間の角度を意味する。ガイド面は、多くの場合、丸みが付けてあるか或いは面取りが施してある部分であり、傾け中、パネルの上縁部を互いに向かって押し付け、係止溝への係止エレメントの挿入を容易にする。市販の多くの係止システムのガイド角度は、約５°である。
【００１８】
「係止角度」は、係止エレメント及び係止溝の作用係止面が最初に互いにぴったりと接触したときの、傾け作用の最終段階での二つのパネル間の角度を意味する。多くの係止システムの係止角度は、約３°又はそれ以下である。
【００１９】
「摩擦角度」は、設置角度からの傾け中、二つ以上の接触点が傾け係止システムで作用し、長縁部に沿った変位を妨げるため、長縁部に沿った摩擦が大幅に増大するときの角度を意味する。
【００２０】
「タング圧力」は、タングが所定位置にある場合のＮ単位で表した圧力を意味する。「最大タング圧力」は、垂直方向重ね中にタングが内位置にある場合のタングの圧力を意味し、「タング予備張力」は、タングがタング溝の一部に押し付けられた場合の係止位置でのタング圧力を意味する。
【００２１】
本発明は、垂直方向重ねで設置されたフロアパネルの設置を改善する、設置中の短縁部の分離に抗する又は分離を阻止する機械式係止システムを備えたフロアパネル又はフローティングフローリングの組に関する。
【００２２】
本発明は、分離の問題が、主として、長縁部の係止システムと関連しているという第１の基本的理解に基づく。パネルを傾けで係止するのに使用される全ての周知の係止システムは、フロアパネルが互いに対して初期角度位置にある場合、接合部に沿って変位するのが非常に容易である。摩擦は、フロアパネルがほぼ係止位置にあるとき、低い角度で大幅に増大する。このことは、角度が大きい場合、及び垂直重ねを可能にするために可撓性タングの一部を水平方向に押圧しなければならない場合、長縁部間の摩擦が、垂直方向重ねの初期段階中の短縁部の変位を阻止する上で十分でないということを意味する。長縁部間の摩擦は、多くの係止システムでは、低い角度で増大する。しかし、このことは、短縁部が既に分離されており、短縁部の係止システムが低い角度での摩擦に打ち勝つことができず、短縁部を互いに引っ張ることができないため、不利である。分離のため、設置が更に困難になる。これは、設置中にパネルを傾けて側方に押圧しなければならないためであり、短縁部の係止システムが損傷するという大きな危険がある。
【００２３】
本発明の主な目的は、短縁部間の分離の問題を解決することである。これは、現在の技術とは逆に、長縁部が傾け位置にあり且つ最終係止位置に至る前に長縁部間の摩擦を増大することによって行われる。長縁部間の摩擦の増大は、垂直方向重ね中、可撓性タングがフロアパネルを互いから遠ざかる方向に押圧する場合、長縁部の接合部に沿った変位に対抗し、場合によってはこの変位をなくし、このような設置中の短縁部の分離に対抗し、場合によってはこの分離をなくす。
【００２４】
本発明は、長縁部係止システム及び短縁部係止システムの組み合わせ機能が、垂直方向重ねで設置されるように設計されたフロアにおいて重要であるという第２の理解に基づく。長縁部係止システム及び短縁部係止システムは、簡単に容易に且つ信頼性を以て設置するため、互いに対して適合するようになっていなくてはならない。
【００２５】
本発明は、夫々の利点を提供する様々な特徴に従って長縁部及び短縁部の係止システムの新たな実施例を提供する。本発明にとっての有用な領域は、任意の形状及び材料、例えば積層体でできたフロアパネル、特に熱硬化性樹脂、木材、ＨＤＦ、ベニヤ、又は石材を含む表面材料を持つパネルである。
【００２６】
本発明は、第１の原理によれば、長縁部に係止システムが設けられたフロアパネルを提供する。この係止システムは、パネルを垂直方向重ねで連結するとき、現在周知の技術で使用されているよりも大きい所定角度で、接合部に沿った変位が起らないようにする。
【００２７】
本発明は、第１の原理の一実施例によれば、長縁部及び短縁部を各々有する本質的に同じフロアパネルの組を提供する。フロアパネルには、第１及び第２のコネクタが一体に設けられている。コネクタは、隣接した縁部を連結するように形成されている。第１コネクタは、隣接した縁部を、隣接した縁部に対して直交する水平方向に連結するため、一つのフロアパネルの縁部に設けられた、上方に差し向けられた係止エレメントを持つ係止ストリップと、別のフロアパネルの隣接した縁部に設けられた、下方に開放した係止溝とを含む。第２コネクタは、隣接した縁部を垂直方向で連結するため、一つのフロアパネルの縁部に、この縁部に対して垂直に水平方向に延びるように設けられたタングと、別のフロアパネルの隣接した縁部に設けられた水平方向に開放したタング溝とを含む。長縁部のコネクタは、傾け移動によって係止されるように形成されており、短縁部のコネクタは、垂直方向重ねによって係止されるように形成されている。第２列の新たなパネルの長縁部は、第１列の第１パネルの長縁部に傾けによって連結されるように形成されている。新たなパネルの短縁部及び第２列の第２パネルの短縁部は、同じ角度移動で連結されるように形成されている。長縁部のコネクタは、新たなパネルの上縁を、第１パネルの上縁に、主平面に対して少なくとも約１０°の所定角度で押し付けたとき、コネクタの隣接した部分間に少なくとも三つの別々の接触点又は接触面を有する。
【００２８】
本発明の第１の原理によるフロアパネルの長縁部は、１０°の傾け角度で三つの接触点を持つため、長縁部間に大きな摩擦が発生し、この摩擦が、垂直方向重ね中のタングの圧力による短縁部の変位に抗し、又は阻止する。これにより、可撓性タングを形成でき、この可撓性タングを、長縁部と近接して、例えば長縁部から約１５ｍｍの距離のところに配置される初期接触点で短縁部に位置決めできるという利点が得られる。これにより、短縁部のかなりの長さに亘って垂直方向で係止できる。
【００２９】
幾つかの実施例では、三点接触角度が１０°よりも大きい場合、好ましくは、１５°又はこれよりも大きい場合、改良された設置機能を得ることができる。他の実施例では、設置を容易にするため、１８°以上又は場合によっては２０°以上を必要とする。
【００３０】
本発明の第２の原理によれば、短縁部に設けられた好ましくは可撓性のタング及び長縁部に設けられた係止システムの位置及び形状は、パネルを設置角度から接触角度まで下方に傾けたとき、可撓性タングを垂直方向重ね作用により隣接した短縁部と初期接触接触したとき、及び更に傾けることにより可撓性タングの第１可撓性縁部を水平方向に変位させ、短縁部に水平方向分離圧力を発生したとき、長縁部に沿った摩擦が増大するようになっている。
【００３１】
本発明は、この第２の原理の一実施例によれば、長縁部及び短縁部を各々有する本質的に同じフロアパネルの組を提供する。フロアパネルには、第１及び第２のコネクタが一体に設けられている。コネクタは、隣接した縁部を連結するように形成されている。第１コネクタは、隣接した縁部を、隣接した縁部に対して直交する水平方向に連結するため、一つのフロアパネルの縁部に設けられた、上方に差し向けられた係止エレメントを持つ係止ストリップと、別のフロアパネルの隣接した縁部に設けられた、下方に開放した係止溝とを含む。第２コネクタは、隣接した縁部を垂直方向で連結するため、一つのフロアパネルの縁部に、この縁部に対して直交する水平方向に延びるように設けられたタングと、別のフロアパネルの隣接した縁部に設けられた水平方向に開放したタング溝とを含む。長縁部のコネクタは、傾け移動によって係止されるように形成されており、短縁部のコネクタは、垂直方向重ねによって係止されるように形成されている。第２列の新たなパネルの長縁部は、第１列の第１パネルの長縁部に傾け移動によって連結されるように形成されている。新たなパネルの短縁部及び第２列の第２パネルの短縁部は、上記傾け移動で連結されるように形成されている。短縁部のタングは、別の材料で形成されており、連結溝に連結されており、第１パネルの長縁部と近接して配置された縁部区分に可撓性部分を有する。縁部区分は、重ね中に水平方向に変位し、隣接した短縁部のタング溝と協働し、フロアパネルを互いに垂直方向で係止するように形成されている。長縁部の第１及び第２のコネクタは、上接合縁が接触した状態でパネルを同じ圧力で互いに押し付けたとき、長縁部に沿った摩擦力が、設置角度において、接触角度におけるよりも小さいように形成されている。設置角度は２５°であり、接触角度はこれよりも小さく、縁部区分と隣接した短縁部との間の初期接触と対応する。
【００３２】
接触角度での長縁部間の摩擦は、多くの様々な方法で、例えば接触点間の圧力を増大することによって、及び／又は第１及び第２の連結部間の接触点での接触面の大きさを大きくすることによって、及び／又は接触点の数を２個から３個へ、又は３個から４個へ増やすことによって増大できる。
【００３３】
本発明の第３の原理によれば、長縁部に係止システムを摩擦手段によって提供する。これは、長縁部のコネクタ間に接触点が二つしかない場合、摩擦が、傾け位置の長縁部に沿って高いことによってなされる。
【００３４】
本発明は、この第３の原理の一実施例によれば、長縁部及び短縁部を各々有する本質的に同じフロアパネルの組を提供する。フロアパネルには、第１及び第２のコネクタが一体に設けられている。コネクタは、隣接した縁部を連結するように形成されている。第１コネクタは、隣接した縁部を、隣接した縁部に対して直交する水平方向に連結するため、一つのフロアパネルの縁部に設けられた、上方に差し向けられた係止エレメントを持つ係止ストリップと、別のフロアパネルの隣接した縁部に設けられた、下方に開放した係止溝とを含む。第２コネクタは、隣接した縁部を垂直方向で連結するため、一つのフロアパネルの縁部に、この縁部に対して垂直に水平方向に延びるように設けられたタングと、別のフロアパネルの隣接した縁部に設けられた水平方向に開放したタング溝とを含む。長縁部のコネクタは、傾け移動によって係止されるように形成されており、短縁部のコネクタは、垂直方向重ねによって係止されるように形成されている。第２列の新たなパネルの長縁部は、第１列の第１パネルの長縁部に傾けによって連結されるように形成されている。新たなパネルの短縁部及び第２列の第２パネルの短縁部は、上記傾け移動で連結されるように形成されている。短縁部のタングは、別の材料で形成されており、連結溝に連結されており、フロアパネルを垂直方向で互いに係止するため、重ね中に水平方向に変位し、隣接した短縁部のタング溝と協働するように形成された可撓性部分を有する。長縁部の第１及び第２のコネクタは、パネルが所定の角度をなし、第１及び第２のコネクタ間に接触点が二つしかない場合、長縁部に沿った摩擦を増大するように形成された摩擦手段を含む。
【００３５】
摩擦手段は、係止システムで三つ又はそれ以上の接触点がある場合、比較的低い角度で作動でき、又は作動できない。
【００３６】
第３の原理は、長縁部に沿った摩擦を、比較的高い角度でも、例えば設置角度でも、大きくできるという利点を提供する。これは、図４ｂ及び図４ｃに示す垂直方向重ねの初期段階中の長縁部の変位によって可撓性タングの縁部を圧縮する設置方法と関連して使用できる。摩擦手段は、垂直方向重ね中、長縁部に沿った変位及び短縁部の分離を阻止し又はこれに抗する。
【００３７】
このような摩擦手段は、例えば、回転工具又は圧力ホイールによって、係止システムの部分に、例えばタングに及び／又は係止ストリップに小さな突出部として機械的に形成されたデバイスを含む。これらのデバイスは、長縁部に沿った摩擦を増大するために係止システムに適用した化学物質又は小粒子を含んでいてもよい。
【００３８】
本発明の第４の原理によれば、長縁部及び短縁部に係止システムが設けられたフローリングシステムが提供される。この場合、フロアパネルは垂直方向重ねで係止でき、短縁部に設けられた好ましくは可撓性のタングの位置、形状、及び材料特性を、コネクタを含む長縁部係止システムと組み合わせることにより、２０ｃｍの長さにカットしたフロアパネルを同じ列の他のパネルに垂直方向重ねで連結でき、長縁部間の摩擦により短縁部の分離を阻止する。
【００３９】
この第４の原理の一実施例によれば、長縁部及び短縁部を各々有する本質的に同じフロアパネルの組を提供する。フロアパネルには、第１及び第２のコネクタが一体に設けられている。コネクタは、隣接した縁部を連結するように形成されている。第１コネクタは、隣接した縁部を、隣接した縁部に対して直交する水平方向に連結するため、一つのフロアパネルの縁部に設けられた、上方に差し向けられた係止エレメントを持つ係止ストリップと、別のフロアパネルの隣接した縁部に設けられた、下方に開放した係止溝とを含む。第２コネクタは、隣接した縁部を垂直方向で連結するため、一つのフロアパネルの縁部に、この縁部に対して垂直に水平方向に延びるように設けられたタングと、別のフロアパネルの隣接した縁部に設けられた水平方向に開放したタング溝とを含む。長縁部に設けられたコネクタは、傾けによって係止されるように形成されており、短縁部に設けられたコネクタは、垂直方向重ねによって係止されるように形成されている。第２列の新たなパネルの長縁部は、第１列の第１パネルの長縁部に傾け移動によって連結されるように形成されている。新たなパネルの短縁部及び第２列の第２パネルの短縁部は、上記傾け移動で連結されるように形成されている。短縁部のタングは別の材料で形成されており、連結溝に連結されており、タングは、フロアパネルを垂直方向で互いに係止するため、重ね中に水平方向に変位し、隣接した短縁部のタング溝と協働するように形成された可撓性部分を有する。長縁部及び短縁部のコネクタは、約２０ｃｍの所定の長さに切断された第２パネル及び新たなパネルのうちの一方のパネルが、これらのパネルが所定の設置角度で接触位置にあるとき、及び垂直方向重ね中、他方のパネルから遠ざかる方向に変位しないように形成されている。
【００４０】
第４の原理は、このような係止システムを持つフロアパネルを高い精度で設置できるという利点、及びパネルを小さなピースにカットし、列の最初のパネル又は最後のパネルとして設置する場合でも短縁部の分離が生じないという利点を提供する。問題点即ち望ましからぬ隙間を形成する上で０．０１ｍｍの数倍の分離で十分である。これは、フロアの表面上で視覚的に確認でき、水分を接合部に侵入させてしまう。
【００４１】
本発明の第２の目的は、フロアパネルを垂直方向重ねによって連結する設置方法を提供することである。これらのパネルは、これらのパネルを垂直方向及び水平方向で係止するため、長縁部に設けられた傾け係止システム及び短縁部に設けられ垂直方向重ねシステムを有する。これによって、第１パネル及び第２パネルは、長縁部が互いに連結された状態で下張り床に平らに設置される。この方法は、
ａ）傾け位置にある新たなパネルの長縁部を、第１パネルの長縁部の上部分と接触させる工程と、
ｂ）新たなパネルの短縁部を第２パネルの短縁部と接触させ、新たなパネルを、長縁部及び／又は短縁部に設けられた係止システムによってこの位置に維持する工程と、
ｃ）新たなパネルの短縁部区分を下張り床に向かって下方に押し、これによって第１パネル、第２パネル、及び第３パネルを、垂直方向重ねによって、互いに連結する工程とを含む、ことを特徴とする。
【００４２】
この設置方法により、例えば係止エレメントの上部分及び係止溝の下部分によって、フロアパネルを上方に傾けた位置に維持する。これにより設置が容易になる。これは、設置者が、手の位置を、パネルを設置角度にする位置から、このパネルの短縁部区分を下張り床に向かって押し下げるのに適当な位置まで、変えることができるためである。上縁部を所定角度で互いに押し付ける作用、短縁部が分離しないようにパネルを側方に押圧する作用、及びパネルをフロアに押し下げる作用を含む組み合わせ作用をなくすことができ、その代わりに三つの別々の独立した作用を行うという利点が得られる。
【００４３】
本発明の第３の目的は、長縁部及び／又は短縁部で使用できる、特に分離の問題を小さくするように設計された新規な係止システム又は係止システムの組み合わせを提供することである。これらの係止システムは、勿論、任意の種類のフロアボード又は建築用パネルを短縁部及び／又は長縁部のところで連結するのに別々に使用してもよい。
【００４４】
この第３の目的の第１の特徴によれば、二つの可撓性部分、即ち変位溝の内部分に配置された可撓性内部分、及び変位溝の外部分に配置された可撓性外部分を含む可撓性タングが提供される。この可撓性外部分は、別のパネルの隣接した縁部のタング溝内に係止する。内部分は、好ましくは、外部分よりも可撓性が大きく、好ましくは、パネルを垂直方向で係止する比較的剛性の外部分よりも大きく変位できる。本発明は、強度及び低い変位抵抗を組み合わせることができる。
【００４５】
この第３の目的の第２の特徴によれば、好ましくは可撓性のタングを持つ短縁部係止システムを、傾け移動によって係止できるコンパクトなタング係止システムと組み合わせる。このような係止システムは、対費用効果に優れており、望ましい形状を備えており、傾け移動中に長縁部に沿って大きな摩擦を発生する係止システムを設計するのに使用できる。このようなタング係止システムは、長縁部係止システムの代わりに、上文中に説明した全ての原理及び方法の突出したストリップを使用する。本発明のこの実施例は、隣接した縁部を水平方向及び垂直方向で連結するため、一つのフロアパネルの縁部のタングの上部分に、上方に差し向けられた係止エレメントが設けられた第１コネクタと、別のフロアパネルの隣接した縁部のアンダーカットタング溝に、下方に延びる係止溝が配置された第２コネクタとを有する。長縁部に設けられたコネクタは、この実施例でも傾けで係止されるように形成されており、短縁部に設けられたコネクタは、垂直方向重ねで係止されるように形成されている。一例として、第１の原理によれば、長縁部に設けられたコネクタは、新たなパネルの上縁を第１パネルの上縁に、主平面に対して少なくとも１０°の所定角度で押し付けたとき、隣接したコネクタ対間に少なくとも三つの別々の接触点又は接触面を持つと言うことができる。
【００４６】
この第３の目的の第３の特徴によれば、垂直方向重ね中の長縁部の変位に抗する又は阻止する、好ましくは可撓性のタングを持つ短縁部係止システムが提供される。係止システムは、上文中に説明したように、係止エレメントを持つストリップと、ストリップパネルの別体の可撓性タングと、重ねパネルのタング溝及び係止溝とを含む。係止溝の係止面は本質的に垂直であり、垂直平面ＶＰと平行であり、好ましくは、フロアの厚さの少なくとも０．１倍の高さを有する。係止システムは、好ましくは、重ねパネルと可撓性タングとの間に接触がない場合、所定の係止角度で、係止エレメントの上部分の係止面が係止溝の係止面の下部分と接触するように設計されている。本質的に垂直な係止面により、更に傾けてタングが重ねパネルと接触するとき、分離を生じない。好ましい実施例では、係止面の一部が突出部上に及びキャビティ内に配置される。
【００４７】
上文中に説明した原理のうちの二つ又はそれ以上、又は場合によっては全ての原理を組み合わせてもよく、本願に説明した係止システムの全ての実施例は、長縁部及び／又は短縁部を連結するため、組み合わせて又は独立して使用できる。添付図面は、単に様々な実施例を示すのに使用されるに過ぎない。これらの実施例は、互いに連結されるようになった同じ又は異なる種類のパネルの長縁部及び短縁部で、様々な組み合わせで使用できる。パネルの長縁部及び／又は短縁部に設けられた全ての係止システムは、コアと一部分をなして形成されていてもよいし、別の材料で形成されていてもよく、例えば、設置中にフロアパネルと一体化でき又は連結できる別体のタング及び／又はストリップであってもよい。係止溝及び／又はタング溝もまた、別の材料で形成されていてもよい。このことは、本発明が、更に、短縁部に設けられた一部品係止システムを含むということを意味する。この場合、例えばタング及び／又はストリップ及び／又は係止エレメント等の係止システムの部分は可撓性であり、好ましくは、木材ファイバをベースとした材料、例えばＨＤＦで形成されており、このような係止システムが、係止中、分離力を発生する場合には、垂直方向重ねによって係止できる。別体の木材ファイバをベースとした材料は、更に、例えば接着によってパネル縁部に連結されていてもよく、これは、上文中に説明した一部品システムと同様の方法で、機械加工によって係止システムに形成できる。
【００４８】
本発明は、全ての種類のフローリングにおいて有用である。しかしながら、長縁部に沿った摩擦が小さい例えば４０ｃｍ乃至１２０ｃｍの短いパネル、可撓性タングが長く、大きなタング圧力を発生する幅が２０ｃｍよりも大きい広幅のパネル、及び／又は例えばＨＤＦ、コンパクト積層体又はプラスチック材料等で形成されたコアを持つパネル、及び係止システムの非常に滑らかで低摩擦の表面のために摩擦が小さいパネルに特に適している。本発明は、厚さが例えば６ｍｍ乃至９ｍｍの薄いパネル、更に好ましくは８ｍｍ又はこれよりも薄いパネル、特にコンパクトな係止システム、例えば６ｍｍよりも短い係止ストリップが長縁部に設けられたパネルでも有用である。これは、こうしたフロアパネル及び／又はこのような係止システムが低摩擦び小さな接触面を備えているためである。
【００４９】
上文中に説明した一つの原理又は幾つかの原理に従って形成されたフローリングシステムにより、幾つかの利点を得ることができる。第１の利点は、簡単な方法で、及び／又はフロアボードの短縁部が分離しないようにするために設置中に圧力を側方に加えることを必要とせずに、設置を行うことができるということである。第２の利点は、重ね中に係止システムに亀裂を発生することがある、縁部の分離の危険が大幅に減少するということである。第３の利点は、パネルを垂直方向で比較的高い強度で及び／又は大きなタング予備張力で係止できる比較的剛性であり且つ強いタングで係止システムを形成できるということである。係止位置での最大タング圧力及び／又は予備張力圧力が大きいこのようなタングは、垂直方向重ね中、大きな分離力を発生する。第４の利点は、長縁部の近くに可撓性タングを位置決めでき、このようなタングが比較的高い接触角度で分離圧力を発生するにも関わらず、信頼性のある係止機能を得ることができるということである。
【００５０】
初期接触摩擦及び／又は設置摩擦の計測は、以下の原理に従って行わなければならない。垂直方向重ね作用の初期段階中、垂直方向係止で作用する可撓性タングの第１縁部区分が短縁部と最初に接触するとき、新たなフロアボード及び／又は第１フロアボードの接触角度を計測しなければならない。パネルを１０Ｎの通常の設置圧力で互いに押し付けるとき、この接触角度で２００ｍｍの試料の長縁部に沿った接触摩擦を計測しなければならない。設置摩擦は、同じ方法で、２５°の設置角度で計測しなければならない。設置摩擦は、少なくとも、設置圧力よりも５０％高くなければならない。
【００５１】
突出部、ブラシ状ファイバ、スクレープト縁部等の機械的デバイスが係止システムに設けられた摩擦手段は、検出が容易である。化学物質は比較的困難である。
【００５２】
設置角度でのフロアボード間の摩擦を増大するため機械的デバイス、化学物質、含浸、コーティング、別の材料等のうちのいずれが使用されているのかが明らかでない場合には、摩擦手段により増大した摩擦を計測するため、別の方法を使用しなければならない。元々の試料と本質的に同じ設計の新たな係止システムを、同じ元来のフロアパネル及びコア材料から製造しなければならない。摩擦は、同じ設置角度及び圧力で計測しなければならず、二つの試料の間の摩擦即ち元々の試料と新たな試料との間の摩擦を比較しなければならない。この試験方法は、勿論、コア全体が摩擦増大材料を含んでいないということを仮定して行われる。
【００５３】
ＨＤＦをベースとした市販の多くのフロアパネルを試験し、その結果、長縁部が他の長縁部に２５°の角度で１０Ｎの圧力で押し付けられる試料の摩擦が約１０Ｎ又はそれ以下であるという結果を得た。これは、垂直方向重ね中に短縁部が変位しないようにするには小さ過ぎる。摩擦手段は、摩擦を大幅に増大できる。
【００５４】
設置角度は、縁部が可撓性タングの部分と初期接触したときの新たなパネルの角度と定義される。このかタングは、変位するようになっており、垂直方向係止で作用する。例えば、垂直方向重ね中に大きな水平方向圧力を発生しない突出部がタングの縁部に設けられていてもよい。
【００５５】
エレメント、デバイス、構成要素、手段、工程、等に対する全ての言及は、特段の記載のない限り、このようなエレメント、デバイス、構成要素、手段、工程、等の少なくとも一例に言及するに過ぎない。
【図面の簡単な説明】
【００５６】
【図１】図１ａ乃至図１ｄは、従来技術の係止システムを示す図である。
【図２】図２ａ及び図２ｂは、係止作用中の従来技術の可撓性タングを示す図である。
【図３】図３及び図３ｂは、従来技術の機械式係止システムが短縁部に設けられたフロアパネルを示す図である。
【図４】図４ａ乃至図４ｄは、二枚のフロアパネルの短縁部を従来技術に従って垂直方向重ねによって係止する方法を示す図である。
【図５】図５ａ乃至図５ｅは、本発明と関連して使用できる短縁部係止システムの実施例を示す図である。
【図６】図６ａ、図６ｂ、及び図６ｃは、本発明による実施例の変位可能なタングを示す図である。
【図７】図７ａ乃至図７ｄは、垂直方向重ね中のパネル間の分離を示す斜視図である。
【図８】図８ａ乃至図８ｄは、設置中にタングが短縁部に及ぼす分離圧力を示す図である。
【図９】図９ａ乃至図９ｏは、市場で大量に使用されている係止システム、及び傾けによる設置中の様々な角度でのこのようなシステムの表面間の接触点を示す図である。
【図１０】図１０ａ、図１０ｂ、及び図１０ｃは、摩擦角度が１０°の本発明による長縁部係止システムの実施例を示す図である。
【図１１】図１１ａ、図１１ｂ、及び図１１ｃは、摩擦角度が１０°の本発明による長縁部係止システムの実施例を示す図である。
【図１２】図１２ａ、図１２ｂ、及び図１２ｃは、長縁部係止システム及び短縁部係止システム、及び本発明の実施例による可撓性タングの位置を示す図である。
【図１３】図１３ａ乃至図１３ｄは、接触角度でのパネル位置の実施例を示す図である。
【図１４】図１４ａ乃至図１４ｄは、本発明の実施例による、長縁部に関する可撓性タングの位置を示す図である。
【図１５】図１５ａ、図１５ｂ、及び図１５ｃは、本発明による摩擦手段を持つ実施例を示す図である。
【図１６】図１６ａ乃至図１６ｄは、本発明の実施例による、様々な角度での摩擦力を計測するための方法を示す図である。
【図１７】図１７ａ、図１７ｂ、及び図１７ｃは、三つの接触点を持つ、本発明の変形例を示す図である。
【図１８】図１８ａ、図１８ｂ、及び図１８ｃは、三つの接触点を持つ、本発明の別の変形例を示す図である。
【図１９】図１９ａ、図１９ｂ、及び図１９ｃは、摩擦を発生する接触点が二つ及び三つの、本発明の更に別の変形例を示す図である。
【図２０】図２０ａ、図２０ｂ、及び図２０ｃは、２０°の角度での接触点が四つである、本発明の変形例を示す図である。
【図２１】図２１ａ乃至図２１ｄは、二つの可撓性部分を持つ可撓性タングを示す図である。
【図２２】図２２ａ、図２２ｂ、及び図２２ｃは、本発明による可撓性タングを持つパネルの設置を示す図である。
【図２３】図２３ａ及び図２３ｂは、タング係止システムを示す図である。
【図２４】図２４ａ乃至図２４ｅは、本発明で使用できる係止システムを示す図である。
【図２５】図２５ａ、図２５ｂ、及び図２５ｃは、接触点を計測する方法を示す図である。
【図２６】図２６ａ乃至図２６ｄは、垂直方向係止面を持つ本発明の実施例を示す図である。
【図２７】図２７ａ、図２７ｂ、及び図２７ｃは、長縁部及び短縁部に設けられた本発明による係止システムを示す図である。
【発明を実施するための形態】
【００５７】
図１乃至図６及びこれらと関連した以下の説明は、公開された実施例を説明するものであって、これを使用して本発明の主要な原理を説明し、本発明で使用できる実施例を示すのに使用される。図示の実施例は単なる例である。垂直方向重ね及び／又は垂直方向係止を可能にする係止システムで使用できる全ての種類の可撓性タング及び一部品タングを使用でき、この説明の適用可能な部分が本発明の部分を形成するということを強調しておかなければならない。
【００５８】
機械式係止システム及び変位自在のタングを備えた従来技術のフロアパネル１、１’を図１ａ乃至図１ｄを参照して説明する。
【００５９】
図１ａは、パネル１の短縁部接合縁４ａと、これと向き合った第２パネル１’の短縁部接合縁４ｂとの間の接合部の断面を概略に示す。
【００６０】
これらのパネルの前面は、本質的には、共通の水平平面ＨＰに位置決めされており、接合縁４ａ、４ｂの上部分２１、４１は、垂直平面ＶＰで互いに当接している。機械式係止システムは、これらのパネルを垂直方向Ｄ１並びに水平方向Ｄ２で互いに対して係止する。
【００６１】
二つの接合縁をＤ１方向及びＤ２方向で接合するため、フロアパネルの縁部には、それ自体周知の方法で、一方の接合縁に係止エレメント８が設けられた、下文において「ストリップパネル」と呼ぶ係止ストリップ６を有する。このストリップパネルは、下文において「重ねパネル」と呼ぶ他方の接合縁の係止溝１４と協働する。
【００６２】
従来技術の機械式係止システムは、一方の接合縁に形成された変位溝４０に固定された別体の可撓性タング３０を含む。この可撓性タング３０は、変位溝４０に配置された溝部分Ｐ１と、変位溝４０の外側に突出した突出部分Ｐ２とを含む。一方の接合縁の可撓性タング３０の突出部分Ｐ２は、他方の接合縁に形成されたタング溝２０と協働する。
【００６３】
可撓性タング３０の突出部分Ｐ２は、丸みを付けた外部分３１及び摺動面３２を有する。この摺動面は、この実施例では、面取り状に形成されている。可撓性タング３０は、上下のタング変位面３３及び３５、及び内部分３４を含む。
【００６４】
変位溝４０は上開口部４２及び下開口部４６を有し、これらの開口部には、この実施例では、丸みが付けてある。変位溝４０は、更に、底面４４及び上下の溝変位面４３及び４５を有する。これらの変位面は、好ましくは、水平平面ＨＰと本質的に平行である。
【００６５】
タング溝２０は、可撓性タング３０と協働して接合縁を垂直方向Ｄ１で係止するタング係止面２２を有する。重ねパネル１’は垂直係止面２４を有する。この垂直係止面は、タング溝２０よりも後面６２に近い。垂直係止面２４はストリップ６と協働し、接合縁を別の垂直方向で係止する。重ねパネルは、この実施例では、係止中に可撓性タング３０の摺動面３２と協働する摺動面２３を有する。
【００６６】
可撓性タングは楔形状であってもよく、予備張力でタング溝に係止されていてもよい。この予備張力により重ねパネル１’をストリップパネルに押し付ける。このような実施例は、非常に強固で高品質の接合部を形成する。
【００６７】
図３ａは、上から見た図３ｂによるパネルのＡ−Ａ断面を示す。可撓性タング３０は接合縁に沿って長さＬを有し、水平平面と平行に且つ長さＬに対して垂直方向に幅Ｗを有し、垂直方向Ｄ１に厚さＴを有する。最大溝部分Ｐ１及び最大突出部分Ｐ２の和が、全幅ＴＷである。可撓性タングは、更に、この実施例では、中間区分ＭＳと、この中間区分と隣接した二つの縁部区分ＥＳとを有する。突出部分Ｐ２及び溝部分Ｐ１の大きさは、この実施例では、長さＬに沿って変化し、タングは二つの隅部区分９ａ、９ｂから離間されている。可撓性タング３０は、一方の縁部区分に摩擦連結部３６を有し、これは、例えば局所的な小さな垂直突出部として形成されていてもよい。可撓性タングを工場でフロアパネルと一体化する場合、この摩擦連結部により、可撓性タングを、設置中、又は製造中、包装中、及び輸送中、変位溝４０内に保持する。
【００６８】
図２ａ及び図２ｂは、変位溝４０の底部４４に向かう第１変位後の可撓性タング３０の位置を示す。この変位は、本質的に、可撓性タング３０をその長さ方向Ｌで幅Ｗと平行に曲げることによって生じる。この特徴は、この従来技術にとって重要である。市販されている実施例の最大タング圧力は約２０Ｎである。
【００６９】
重ねパネルは、ニードル状の工具で連結状態を解除できる。ニードル状工具を隅部区分９ａからタング溝２０に挿入し、可撓性タングを押圧して変位溝４０に戻す。この重ねパネルは、この場合、ストリップパネルが未だ下張り床にとどまっている場合、上方に角度をなす。勿論、これらのパネルは、従来の方法で連結解除することもできる。
【００７０】
図４ａは、垂直方向重ねの一実施例を示す。第１列Ｒ１の第１パネル１’’は、第２列Ｒ２の第２パネル１に連結されている。新たなパネル１’の長縁部５ａを第１パネル１’’の長縁部５ｂに向かって約２５°乃至約３０°の通常の設置角度で移動し、隣接した縁部に押し付け、その長縁部５ａを第１パネルの長縁部５ｂに傾け移動によって連結する。この傾け作用は、更に、新たなパネル１’の短縁部４ｂを第２パネル１の短縁部４ａに連結する。重ねパネル１’は、垂直平面ＶＰに沿った垂直方向移動及び回転移動の組み合わせによりストリップパネル１に係止される。突出部Ｐ２は、丸みを付けた又は角度をなした重ね部分Ｐ２’を有する。この重ね部分は、重ね中に重ねパネル１’の摺動面２３と協働する。重ね中の重ね部分Ｐ２’及びタングの摺動面３２の組み合わせ効果により、重ねパネル１’の摺動面２３と協働し、可撓性タング３０の第１変位を促す。この実施例の重要な特徴は、隅部区分９ａ及び９ｂから離間された突出部分Ｐ２の位置である。間隔は、少なくとも接合縁の長さの１０％である。接合縁は、この場合、見えるように図示してある短縁部４ａである。
【００７１】
図４ｂ及び図４ｃは、変位可能なタングを持つフロアパネルの組の一実施例、及び変形例の設置方法を示す。この実施例では、タングの長さは、パネルの前面の幅ＷＳの９０％以上であり、他の好ましい実施例では、タングの長さは、好ましくは、前面の幅ＷＳの７５％から、前面の幅とほぼ同じ長さまでの範囲内にある。好ましくは、タングの長さは、パネルのほぼ全幅から、パネルの隣接した縁部の係止システムの幅を差し引いた長さである。外縁部の端部には小さな面取り部が設けられていてもよいが、タングの外縁部の直線状部分の長さは、好ましくは、タングの長さとほぼ等しいか或いは、望ましくは、９０％以上である。新たなパネル１’は傾け位置にあり、接合縁の上部分が第１列の第１パネル１’’と接触している。短縁部４ａ及び４ｂは互いから離間されている。次いで、新たなパネル１’を第２パネル１に向かって側方に変位する。これは、図４ｂでわかるように、短縁部４ａ及び４ｂが本質的に接触し、可撓性タング３０の一部が変位溝４０に押し込まれるまで行われる。次いで、新たなパネル１’を第２パネル１に向かって下方に重ねる。新たなパネル１’の変位により、可撓性タング３０の縁部区分だけが変位溝４０に押し込まれるため、垂直方向重ねを小さな抵抗で行うことができる。設置は、直線状の外縁部を持つ変位可能なタングによって行うことができる。周知の弓形形状タング３０を持つパネル（図２、図３、及び図４参照）を設置する場合、タング全体を変位溝に押し込まなければならない。周知の弓形形状タングを本発明によるタングと比較すると、タングの単位長さ当たりのばね定数が同じである場合、タングに必要とされる力が小さい。従って、単位長さ当たりのばね定数が比較的高く、弾発力が比較的大きいタングを使用でき、その結果、タングは更に確実に最終的に位置決めされる。この設置方法では、重ねパネルの面取りを形成した摺動面は不要であるか或いは比較的小さくてもよい。これは薄型のパネルについて有利である。この方法の欠点は、垂直方向重ね中に新たなパネルを傾け、側方に押さなければならないということである。図４ｃは、重ねパネルには、タングの全ての実施例を設けることができるということを示す。勿論、幾らかの調整が必要とされる。
【００７２】
一般的には、ストリップパネルにタングを設けるのが有利である。これは、タングの可撓性部分の変位を容易にするため、重ねパネルに設けられた丸みを付けた又は面取りを施した部分を使用できるためである。重ねパネルにタングが設けられた一実施例には、図４ｄに示すように、タングをパネル表面の尖った縁部に当てて摺動させなければならないという欠点がある。
【００７３】
タングは、プラスチック材料で形成されていてもよく、例えば射出成形で製造されていてもよい。この製造方法では、様々な複雑な立体的形状を低コストで製造でき、これらの可撓性タングを互いに連結してタングブランクを形成することを容易に行うことができる。タングは、押出し又は機械加工によって形成したプラスチック製又は金属製の形材で形成されていてもよく、これらの形材を例えばパンチングで更に賦形し、可撓性タングを形成する。押出しと関連した欠点は、製造工程が追加されることの他、タングを例えばファイバ等で強化するのが困難であるということである。
【００７４】
ＰＡ（ナイロン）、ＰＯＭ、ＰＣ、ＰＰ、ＰＥＴ、又はＰＥ等の任意の種類のポリマー材料、又は様々な実施例において上文中に説明した特徴を持つ同様の材料を使用できる。これらのプラスチック材料は、射出成形を使用する場合、例えばガラスファイバ、ケブラーファイバ、カーボンファイバ、又はタルク又はチョークで強化してもよい。好ましい材料はガラスファイバであり、好ましくは、極めて長い強化ＰＰ又はＰＯＭである。
【００７５】
図５ａ乃至図５ｅは、短縁部の係止に使用できる本発明による可撓性タング３０の実施例を示す。図５ａは、重ねパネルに設けられた別体のタング３０を示す。このタングから上方に可撓性スナップタブが延びている。図５ｂは、ストリップパネルに設けられた別体のタング３０を示す。このタングから下方に可撓性スナップタブが延びている。図５ｃは、可撓性スナップタブが変位溝４０の内側に配置された別体のタング３０を示す。スナップタブは上方に延びていてもよいし下方に延びていてもよい。タング３０は、図５ａ及び図５ｂに示すのと同じ原理で、ストリップパネルに設けられていてもよいし重ねパネルに設けられていてもよい。図５ｄは、図６ａに示すような、突出部を持つ可撓性タングを示す。これらの突出部は、変位溝４０に配置されていてもよいし、垂直平面からタング溝２０内に延びていてもよい。図５ｅは、タング３０をパネルと一部品に形成してもよく、係止をファイバ又はパネル材料の部分の圧縮及び／又はストリップ６の曲げによって行ってもよいということを示す。
【００７６】
図６ａ乃至図６ｃは、本発明に従って使用できるタング３０の実施例を示す。これらの実施例は全て、フロアパネルの溝に挿入されるように形成されている。図６ａは、可撓性突出部１６を持つ可撓性タング３０を示す。図６ｂは、弓形形状タング３０を示し、図６ｃは、可撓性スナップタブ１７を持つタング３０を示す。
【００７７】
図１乃至図４、図５ｄ、図６ａ、及び図６ｂに示す実施例と同様の可撓性タングは、例えば、木材ファイバをベースとした材料から製造されてもよい。こうした材料には、例えば、ＨＤＦ、堅木(solid wood)、又は幾つかの層を持つ合板が含まれる。極めて強く且つ可撓性のタングは、特に可撓性がＨＤＦファイバのファイバ配向と本質的に平行に得られるように設計される場合、ＨＤＦで形成できる。
【００７８】
図７ａ乃至図７ｄは、垂直方向重ねによる設置を四つの工程で示し、このような設置と関連した問題点を示す。説明を簡単にするため、可撓性タング３０がストリップパネルに設けられた実施例を示す。上文中に説明したように、タングは重ねパネルに設けられていてもよい。新たなパネル１’の長縁部５ａを、第１パネル１’’の長縁部に向かって、設置角度で、上縁部が接触するまで移動する。次いで、新たなパネルを側方に移動する。これは、短縁部４ｂが同じ列の隣接した第２パネルの短縁部と図７ａに示すように接触するまで行われる。次いで、可撓性タング３０の縁部部分３０’が図７ｂに示すように最初に新たなパネルの短縁部と接触したとき、新たなパネル１’を下方に接触角度まで傾ける。最適の機能のため、短縁部間を接触させた状態で更に傾けると、可撓性タングの比較的大きな部分を徐々に水平方向に押し、タングの可撓性により、短縁部４ａ及び４ｂを互いから押し離す圧力が増大する。図７ｃに示すように望ましからぬ隙間Ｇが形成される。係止エレメント８は、多くの場合、パネルの短縁部を引き戻すことができない。これは、パネルが小さい角度をなしている場合、長縁部間の摩擦が大きいためであり、隙間Ｇは、図７ｄに示すように、連結段階に維持される。これは、係止システムに亀裂等の損傷を生じる場合がある。残される隙間が０．０１ｍｍ乃至０．１ｍｍと非常に小さくても、大きな問題を生じる場合がある。これは、水分が接合部に容易に侵入してしまうためである。
【００７９】
図８ａ乃至図８ｄは、可撓性タング３０によって生じる分離の問題点を詳細に示す。パネル１、１’は、図８ａによれば、所定の接触角度にあり、重ねパネル１’及び可撓性タングの摺動面２３、３２が接触している。図８ｂ及び図８ｃは、タングの可撓性により分離圧力ＳＰが発生することを示す。この力は、パネルが設置者によって互いに押し付けられていない場合には、パネル１、１’を互いから離間し、隙間Ｇを形成する。図８ｄは、パネルを、永久的な隙間Ｇが形成された係止位置で示す。この場合には、係止ストリップ６は湾曲しており、係止エレメント８は係止溝１４に部分的にしか入っていない。最悪の場合には、係止エレメント８に亀裂が入り、パネルの短縁部が水平方向で係止されない。
【００８０】
図９ａ乃至図９ｏは、３種類の傾け係止システムを示す。これらの係止システムは、傾けにより係止される従来のフローリングで大量に使用されている図９ａ乃至図９ｃは、設置角度Ａが２５°のフロアパネルを示す。この位置では、第１及び第２のコネクタ間に二つの接触点ＣＰ３及びＣＰ２、又はＣＰ３、ＣＰ４しかない。上接触点ＣＰ３又は接触面は、常に上接合縁のところにあり、第２下接触点又は接触面ＣＰ４、ＣＰ２は、タングの下部分に又はタング１０の内下部分と係止溝１４との間のどこかにある。接合縁に沿った変位摩擦は、この位置では、特に表面が滑らかなＨＤＦをベースとしたフローリングで非常に低い。図９ｄ乃至図９ｆは、１５°の角度まで更に傾けたところを示し、図９ｇ乃至図９ｉは、１０°の角度を示す。これらの位置での接触点は二つしかなく、摩擦は低いままである。図９ｊ乃至図９ｌは、５°の角度での位置を示す。これらの関係は、これらの実施例における摩擦角度である。図９ｊ及び図９ｋは、係止システムが係止角度にあり、係止面５１、５２が部分的に接触したことを示す。図９ｌは、ガイド面１１、１２が接触したガイド角度で係止システムを示す。図９ｊは、この係止システムが四つの接触点を持つことを示す。これらの接触点のうち上側の二つの接触点は、上接合縁ＣＰ３及びタングの上部分ＣＰ１にあり、下側の二つの接触点は、タングの下部分ＣＰ２及び係止面間の接触点ＣＰ４にある。図９ｋは、二つの上接触点ＣＰ１、ＣＰ３及び一つの下接触点ＣＰ４を示す。図９ｌは、図９ｊと同様であるが、一つの下接触点がガイド面１１、１２間に形成される。接合縁に沿った変位摩擦は、特に接触点間又は接触面間がきつく嵌まっている場合、及び／又は接触面の大きさがかなり大きい場合、これらの位置で大幅に上昇する。予備張力が摩擦を更に増大し、水平方向重ねと関連した長縁部に沿った変位を妨げる作用をなし、多くの場合において小さなフロアパネルピースでも完全になくす。しかしながら、このような係止システムは、接触角度が５°乃至８°よりも大きい場合には、特にコネクタ間が垂直方向で嵌着するように製造されている場合、垂直方向重ねシステムで長側部に用いるのに適していない。これは、これらが長縁部に沿った変位及び短縁部の分離を妨げないためである。
【００８１】
図１０ａは、本発明の第１の目的による実施例を示す。このような係止システムは、好ましくは、長縁部の垂直方向重ねシステムで使用してもよく、接触角度Ａは約１０°又はそれ以下である。このようなシステムは、接触角度がこれよりも大きい係止システムでも使用できる。これは、こうしたシステムでは、多くの重ね係止システムが最高変位圧力を発生する１０°の角度で変位を阻止するためである。図１０ａは、二つの点ＣＰ３、ＣＰ２でしか接触していない１５°の角度でのパネル１’の位置を示す。パネル１’ａは、１２°の摩擦角度位置にあり、三つの接触点ＣＰ３、ＣＰ２、ＣＰ４’を持つ。この位置は、タングに一つの接触点ＣＰ２しかなく、ガイド面１１、１２が接触していることを特徴とする。これは、更に傾けるときにガイド面がタングを溝に押し込むため、有利である。これを図１０ｂに示す。摩擦は更に増大する。この摩擦は、タング１０とタング溝９との間の垂直方向接触及び協働（ＣＰ１、ＣＰ２）、上縁部間の水平方向接触ＣＰ３、及び第２下接触点ＣＰ４を形成するガイド面１１、１２によって生じる。理想的な位置は、好ましくは、接触角度が摩擦角度及びガイド角度と等しいか或いはこれよりも小さい実施例である。このような実施例の摩擦角度及びガイド角度は、例えば約１０°であり、接触角度は約８°乃至９°である。係止は、極めて簡単な方法で行うことができ、パネルがガイド角度で位置決めされたときに下向きの圧力を新たなパネルに加えるだけである。図１０ｃは、係止面間の角度が大きいように形成された係止システムを示し、ファイバが、位置１’ａによって示す傾けの最終的段階中、係止を可能にするため、上縁部ＣＰ４のところで、及び係止面ＣＰ４のところで、圧縮されなければならないということを示す。この形体により幾つかの利点が得られる。摩擦は増大し、分離力が最高レベルにあるとき、高いレベルにある。フロアパネルは、係止エレメント及び係止溝によって、図１０ｂに示すように、重ねパネルの短縁部と可撓性タングの縁部区分との間の接触とは別個に又はこれと組み合わせて、上方に傾いた位置に維持される。摩擦により、短縁部が可撓性タングから遠ざかる方向に摺動しないようにする。これにより設置が容易になる。これは、設置者が手の位置を、パネルを設置角度にする位置から短縁部を垂直方向に押す作用を加える位置に変えるためである。本発明は、従って、一方のパネルを別のパネルに対し、上接合縁が接触した状態で傾け位置にとどめる長縁部傾けシステムを含む垂直方向係止システムを提供する。更に、最終的な傾け段階で、係止溝１４の一部が係止エレメント８と接触したとき、上接合縁と係止エレメントとの間の、及び／又はタングと溝との間の圧力を増大しする係止システムを提供する。
【００８２】
図１１ａ乃至図１１ｃは、摩擦角度Ａが更に大きく、例えば、図１１ａに示すように１５°の係止システムを形成するのに同じ原理を使用できるということを示す。係止エレメント８は比較的高く形成されており、この好ましい実施例では、ストリップ６の最下点から垂直方向にＬＨ延びている。これは、フロアの厚さＴの約０．２倍である。タングの下部分５４は、水平平面ＨＰと本質的に平行であり、垂直平面ＶＰから、好ましくは、フロアの厚さＴの約０．１倍の距離ＴＤだけ延びている。
【００８３】
次に、垂直方向重ね中及び垂直方向係止中の長縁部及び短縁部の接触角度及び組み合わせ機能の重要性を、図１２ａ乃至図１３ｄを参照して説明する。
【００８４】
図１２ａは、垂直方向重ね又は垂直方向係止で係止されるようになった、設置状態のフローリングシステムの長縁部係止システム１’’、１’及び短縁部係止システム１、１’を示す。長縁部は、傾けによって係止できる係止システムを有する。短縁部は、垂直方向係止又は垂直方向重ねによって係止できる係止システムを有する。
【００８５】
図１２ｂは、第２パネル１から新たなパネル１’に向かって見た、新たなパネル１’を垂直方向下方に移動するときの、例えば新たなパネル１’の摺動面２３の位置を示す。この係止は、例えば第１列の連結に使用できる。摺動面２３は、パネル１’の下部分に配置された平面内にある。
【００８６】
図１２ｃは、第１パネル１’’及び第２パネル１をフロア上に平らに敷設したときの可撓性タングの摺動面３２及びチップ３１、及び摺動面２３の位置を示す。
【００８７】
図１２ｂ及び図１２ｃは、短縁部の長さ方向での可撓性タングの位置が、パネル全体を垂直方向下方に移動する垂直方向係止において重要でないということを示す。
【００８８】
図１３ａは、垂直方向重ね中の図１２に示す係止システムと同様の実施例を示す。可撓性タング３０の縁部は、この実施例では、第１パネル１’’の長縁部から距離ＦＤのところに位置決めされている。図１３ｂは、隅部区分ＣＳの垂直方向重ね及び接触角度に近い場合の新たなパネル１’の位置を示す。摺動面２３、３２に面取りが施してあるため、重ねパネル１’と可撓性タング３０との間には接触が全くない。図１３ｃは接触角度を示す。この接触角度は、この実施例では１０°である。摺動面３２、２３は、初期接触点ＣＰ５のところで互いに重なる。これ以上の傾けを開始すると、パネル１、１’の短縁部間の分離圧力が徐々に増大する。これは、可撓性タングの比較的大きな部分ＴＰＣが、図１３ｄに示すように重ねパネル１’の摺動面２３によって水平方向内方に変位溝に押し込まれるためである。
【００８９】
図１４ａ及び図１４ｂは、本発明の２つの実施例の可撓性タング３０の位置を示す。可撓性タング３０は、これらの実施例では、長さ方向水平方向に曲がることができる。可撓性タングの縁部は、図１４ａでは、長縁部５ｂに近い、例えば長縁部から約１５ｍｍの位置ＦＤ１に配置される。このような係止システムの接触角度は、通常の厚さの積層フロアでは、約１０°である。タングの縁部が図１４ｂに示すように長縁部５ｂから更に遠い距離ＦＤ２に位置決めされる場合には、接触角度を小さくできる。この場合、接触角度が比較的低い係止システムを使用できる。このような実施例は、厚く且つ安定したフロアパネル又は狭幅のフロアパネルで十分である。厚さが比較的薄いフロアボード、例えば６ｍｍ乃至８ｍｍの積層フローリング及びベニヤ製フローリングでは、可撓性タングが長縁部と近接した短縁部を、この短縁部の大きな距離に亘って係止できるという利点が得られる。図１４ｃ及び図１４ｄは、可撓性タング３０の第１部分を水平方向に曲げて水平方向に変位溝に押し込んだときの重要な接触位置で可撓性タングを示す。重ね作用中にタングの比較的大きな部分が曲げられて水平方向側方に押圧されるとき、分離圧力が増大するということは明らかである。これらの実施例及び上文中に説明した実施例は、長縁部及び短縁部の係止システムが互いに独立しており、簡単であり且つ信頼性のある係止機能を保証するため、互いに適合しなければならないということを示す。
【００９０】
図１５ａ乃至図１５ｃは摩擦手段５３、５３’を示す。これらの摩擦手段は、この実施例では、ストリップパネル１の係止ストリップ６の上部分及びタングの下部分又は溝パネル１’に設けられた小さな局所的突出部として形成されている。このような突出部は、係止システムの他の表面に形成されていてもよく、これらの突出部は高い角度での変位を阻止し、図１５ａに示すように、例えば二つの接触点でしか接触していない場合の変位を阻止する。摩擦手段は、更に、係止システムに適用された小さな硬質粒子、ゴム、バインダー、及び同様の材料等の任意の種類の材料又は化学物質で形成されていてもよい。好ましい材料は、微晶質ワックス又はパラフィンをベースとしたワックス等のソフトワックスであり、係止システムの一つの又は幾つかの表面上に、例えばタング上に及び又はタング溝上に、ストリップ上に、係止エレメント上に、及び／又は係止溝内に、ガイド面の一方又は両方に適用でき、特にＨＤＦ表面間の初期摩擦を増大できる。合板コアでは、傾け中に高い摩擦が得られるように、様々な層及びファイバコアを使用してタング１０及びストリップ６を形成できる。上述の摩擦手段を組み合わせてもよい。例えば、局所的な小さな突出部、荒い表面、配向ファイバ構造、等をワックス又は化学物質と組み合わせてもよい。
【００９１】
図１６ａ乃至図１６ｄは、フロアパネルの長縁部間の摩擦を計測するための方法を示す。幅Ｗ２が約２００ｍｍの溝パネル１’の一つの試料を、１０Ｎの圧力Ｆ１で角度Ａでストリップパネル１’’に押し付ける。このストリップパネルは固定されており、その幅Ｗ１は、２００ｍｍ以上である。低摩擦で回転するホイールで溝パネル１’に圧力Ｆ１を加える。変位摩擦は、溝パネル１’を接合部に沿って変位するのに必要な最大力Ｆ２として定義される。図１６ｂの曲線Ｆａは、熱硬化性樹脂で含浸した印刷した紙でできた表面を持ち、ＨＤＦコアを持つ８ｍｍの積層パネルの試料に行った計測を示す。摩擦は設置角度から計測され、徐々に角度が小さくなる。この試料の変位摩擦は、設置角度ＩＡで約１０Ｎであり、１０°の接触角度ＣＡでほぼ同じである。摩擦角度ＦＡは、この例では約５°である。ＨＤＦをベースとした市販の多くの係止システムの変位摩擦は、設置角度で１０Ｎよりも小さい。この摩擦は、５Ｎ程度と低くてもよい。このような係止システムでは、垂直方向重ねの初期段階中に短縁部が変位しないようにする上での長縁部の寄与はほんの僅かである。これは、摩擦角度が設置角度よりも小さいためである。曲線Ｆｂは、係止システムの形状のため、設置角度での摩擦が、これよりも低い角度におけるよりも高い、特殊な係止システムを示す。本発明は、接触角度での摩擦が、設置角度での摩擦、又は設置角度と接触角度との間の任意の他の角度での摩擦よりも大きいという原理に基づく。接触角度では、摩擦力は最低レベルにある。好ましい実施例は、接触角度での摩擦が１５Ｎを越え、更に好ましくは２０Ｎを越える実施例である。好ましい実施例は、更に、発生するタング圧力が２０Ｎよりも大きく、場合によっては３０Ｎよりも大きい可撓性タングを持つ垂直方向係止システムである。
【００９２】
高い角度での摩擦が比較的高い係止システムが市販されている。このような係止システムは、通常の方法では、１０Ｎの圧力Ｆ１で、設置角度から接触角度又はガイド角度まで角度を小さくすることができない。１０Ｎの圧力Ｆ１は、設置中に１２０ｃｍのフロアパネルに加えられる６０Ｎの圧力と対応する。このような係止システムは、傾けを非常に高い圧力又は傾け位置でのスナップ作用と組み合わせなければならない種類の係止システムである。このような係止システムは、垂直方向重ねシステムでは使用されない。これらのシステムは、本発明に従って除外されないけれども、垂直方向重ねシステムでは望ましくない。これは、これらのシステムが、幾つかの特別の用途において、短縁部及び長縁部を傾け、短縁部及び長縁部をスナップ嵌めし、又は長縁部を傾け、及び短縁部をスナップ嵌めする従来使用された設置と比較して、設置を僅かしか改良しないためである。
【００９３】
図１６ｃは、本発明による更に好ましい係止システムを示す。ここでは、摩擦角度ＦＡは約１５°であり、接触角度ＣＡは１０°である。摩擦角度ＦＡは接触角度ＣＡよりも大きく、接触角度ＣＡでの長縁部間の摩擦が設置角度ＩＡと比較して大幅に増大している。図１６ｄは、幅Ｗ３が２００ｍｍの二つの試料１、１’を本発明の第４の原理に従って設置する方法を示す。こうした設置は、パネルが本発明による係止システムを備えている場合、重ねパネルを下張り床に専ら垂直方向に押し付けるときに短縁部の分離を生じず、短縁部に向かう側方圧力を生じない。一枚のフルサイズのパネル１及び約２０ｃｍの長さに切断した一枚のパネル１’に関して試験を行った。小さなフロアピースの変位を阻止する長縁部摩擦を備えたこのような係止システムにより、通常のフロアパネルばかりでなく、壁の近くの所定の大きさに合わせて切断した全てのフロアパネルの設置を容易に行うことができる。
【００９４】
図１７ａ乃至図１７ｃは、図１１の係止システムを、最初に三つの接触点ＣＰ３、ＣＰ１、及びＣＰ４で摩擦を発生するために調節する方法を示す。摩擦は、主として、係止エレメント８／係止溝１４間、及びタング１０／タング溝９間の圧力により得られる。タングは、この実施例では、水平平面ＨＰと本質的に平行な下部分５４を有する。この下部分５４は、垂直平面から、好ましくは図１１におけるよりも短い距離ＴＤに沿って延びており、これは、フロアの厚さＴの０．１倍よりも小さい。
【００９５】
図１８ａ乃至図１８ｃは、図１１の係止システムを、最初に三つの他の接触点ＣＰ３、ＣＰ１、及びＣＰ３で摩擦を発生するために調節する方法を示す。摩擦は、主として、タング１０／タング溝９の上下の部分間の圧力によって得られる。タングは、この実施例では、水平平面ＨＰと本質的に平行な下部分５４を有する。この下部分５４は、垂直平面から、好ましくは図１１におけるのと同じ距離ＴＤに沿って延びる。しかしながら、係止エレメントの高さＬＨは低い。摩擦手段５３が、タング１０の下部分にワックスの形態で示してある。ワックスは、好ましくは、比較的柔らかくなければならず、好ましくは、傾け中に変形できなければならない。この柔らかなワックスにより、接合部に沿った初期変位を阻止する。このようなワックスは、係止システム全体に適用してもよく、特にＨＤＦ製の表面に対する変位を阻止する。
【００９６】
図１７及び図１８は、タング１０、溝９、ストリップ６、係止エレメント８、及び係止溝１４の寸法を本発明の原理内で調節した場合に、摩擦角度及び摩擦点の多くの組み合わせを得ることができるということを示す。
【００９７】
図１９ａは、摩擦角度が２０°の実施例を示す。この実施例では、摩擦は、タング１０／タング溝９の上下の部分間の二つの接触点ＣＰ１及びＣＰ２でだけ得られる。タングは、この実施例でも、水平平面ＨＰと本質的に平行な下部分５４を有する。この下部分５４は、垂直平面から、フロアの厚さＴの０．２倍よりも大きい所定の距離ＴＤに沿って延びている。タングは、この実施例では、タングの下部分とタング溝との間に空間５５を有する。これにより、係止を容易にし、図１９ｂに示すように、ガイド面１１、１２を、例えば１５°の高い角度で重ねることができる。
【００９８】
図２０ａ乃至図２０ｃは、図２０ａに示す２５°の設置角度で三つの接触点ＣＰ３、ＣＰ１、及びＣＰ２を持つ係止システムを設計できるということを示す。係止エレメントは、上述の実施例におけるよりも比較的高く（ＬＨ）形成されており、溝パネル１’は、タング１０とタング溝１４との間に突出部５６を有する。タングの上部分は、水平平面に対して所定の角度を有し、これにより、比較的大型の回転工具によるタング溝９の機械加工を容易にする。
【００９９】
短縁部に設けられた簡単な垂直方向係止システムは、長縁部及び短縁部を簡単な傾け作用で連結できる、案内性及び係止性が優れた良好に機能する長縁部係止システムと組み合わせられていない場合には、現在の技術を越える大きな改良を提供しない。例えば図１０ｂ、図１１ａ、図１７ａ、図１３ｃ、図１８ｂ、図１９ｂ、及び図２０ｂに示す実施例からわかるように、摩擦角度及びガイド角度の所定の組み合わせを備えた係止システム、及び重ねパネルを上方に角度をなした位置に保持する係止エレメント８及び係止溝１４を備えた係止システムを形成できる。この場合にパネルを係止する上で必要とされる唯一の作用は、短縁部の近くで重ねパネルを垂直方向に押すことである。
【０１００】
本発明は、この原理に基づき、三枚のパネルの設置方法を提供する。この場合、例えば図７ａに示すように長縁部が連結された状態で第１パネル１’’及び第２パネル１を下張り床に平らに設置する。この方法には以下の工程が含まれる。即ち、
ａ）傾け位置にある新たなパネル１’の長縁部５ａを、第１パネル１’’の長縁部５ｂの上部分と接触させる工程と、
ｂ）新たなパネル１’の短縁部４ｂを第２パネル１の短縁部４ａと接触させ、新たなパネル１’を、長縁部及び／又は短縁部に設けられた係止システムによってこの位置に維持する工程であって、新たなパネル１’は、図１０ａに示すように、係止エレメントのガイド面及び係止溝によって、又は可撓性タングの縁部によってこの位置に維持できる、工程と、
ｃ）新たなパネルの短縁部区分をフロアに向かって下方に押し、これによって第１パネル、第２パネル、及び第３パネルを、垂直方向重ねによって、好ましくは、短縁部間に目に見える大きな隙間を生じることなく互いに連結する工程とを含む。
【０１０１】
この設置方法により、フロアパネルを、図１０に示すように、例えばガイド面１１、１２によって、上方に角度をなした位置に維持する。これにより設置を容易にする。これは、設置者が、パネルを２５°の設置角度にする第１位置から手の位置を変え、既に設置してある第１パネル１’’の縁部に向かって押圧し、好ましくは、摩擦角度及びガイド角度まで僅かに下方に傾けることができるためである。設置者は、次いで、好ましくはパネルの両短縁部区分を下張り床に向かって下方に押すのに適した第２位置まで、手を移動できる。ガイド面は、係止エレメントを係止溝内に案内し、タングをタング溝に案内する。長縁部間の摩擦が変位を阻止する。上縁部を所定角度で互いに押し付ける作用及びパネルを側方に押圧する作用の組み合わせにより短縁部の分離を阻止する利点が得られ、パネルをフロアと重ねて下方に押すことを、二つ又は三つの別々の簡単な独立した作用によってなくすことができ、これらの作用によって代えることができる。
【０１０２】
図２１ａ乃至図２１ｃは、可撓性内部分６２及び可撓性外部分６１を含む可撓性タング３０を示す。図５ａ乃至図５ｃに示す可撓性タングには以下の欠点がある。
１．これらのタングは、一般的には押出しプラスチック形材で形成されている。これは価格において優れているが、高品質の係止を得るには製造許容差が不十分である。
２．可撓性スナップタブが一つしか使用されないため、可撓性が不十分である。この可撓性スナップタブは、薄いフロアボードでは非常に限られた垂直方向距離に亘ってしか曲がらない。この小さな可撓性により、縁部に大きな分離力が発生する。
３．特に図５ａ及び図５ｂに示す可撓性タングでは、可撓性及び係止強度を併せ持つのが困難である。本発明による実施例は、上述の問題点を低減するか或いはなくす。可撓性内部分６２は、垂直方向係止の一部ではなく、従って、非常に可撓性に形成できる。これは、その主な機能が、可撓性タング３０を変位溝内で変位することであるためである。可撓性内部分の上部分６７は、変位溝の内部分に押し付けられ、フロアパネルの縁部が可撓性外部分６１に押し付けられると直ぐに曲がり、即ち圧縮される。外部分６１は、内部分６２よりも剛性であり且つ強いのが好ましい。内部分及び外部分の組み合わせ可撓性は、周知のタングよりも小さい分離力で比較的強い係止を行うように設計できる。可撓性タング３０は、勿論、一つ又は幾つかの、例えばＷ字形状の、垂直方向上下に延びる内部分及び／又は外部分を備えていてもよい。これは、更に大きな可撓性及び変位を発生するのに使用できる。このようなタングは、更に、曲げることができない剛性外部分を持つように形成されていてもよい。タングは、重ねパネルに連結されていてもよい。可撓性外部分６１は、このような実施例では、垂直方向上方に延び、タング溝の上部分に対して係止される。
【０１０３】
図２１ｂは、例えばプラスチック製又は金属製の押出しタングを、例えば機械加工又は研削によって均等化できるということを示す。これにより、製造許容差を射出成形と同様のレベルにまで又はそれよりも良好に大幅に改善する。変位、係止機能、及び係止強度を大幅に改善できる。図示の実施例では、変位溝４０に挿入する前に下接触面６４及び／又は係止面６５が均等化してある。タングを縁部に連結する場合又はタングが縁部に連結されている場合、可撓性タングの一部、好ましくは可撓性外部分６１を、均等化してもよい。これは、別の製造工程で行ってもよいし、又は係止システムの形成時にライン上で行ってもよい。可撓性タングは、垂直方向重ね中に長さ方向で水平方向に曲がるように設計されていてもよい。図２１ｄに示すように、縁部にあるタング区分６８を除去すると、こうした曲げが容易になり、分離力が減少する。このことは、タング３０の幅Ｗが長さＬに沿って変化するということを意味する。このようなタング区分は、弾性内部分６７からも除去でき、タングは長さ方向で小さい抵抗で曲がり、水平方向重ねを容易にする。縁部区分の一部を切除することによるこのような形成は、全ての種類の押出しタングで行うことができ、特に可撓性が限定されたタングで、例えば、図５ａ、図５ｂ、及び図６ｃに示すように弾性又は可撓性の外部分を一つしか備えていない実施例で行うことができる。可撓性タングは、剛性突出部及び可撓性ニージョイントを持つヒンジ原理に従って、係止中に水平方向に曲がらないように設計することもできる。このような実施例は、強固な係止を提供できる。しかしながら、大きな分離力が発生する場合がある。これは、例えば、打ち抜きや機械加工等で形成した切れ目６９で分離された幾つかの個々の可撓性内部分及び外部分６１ａ、６１ｂを含む実施例で緩和できる。これらの個々の可撓性部分は個々にスナップ嵌めでき、これにより、特に、タングが、長さが０．１ｍｍ程度変化する、互いに関して特定の所定のレベルで係止するように設計された個々の可撓性部分で形成されている場合に製造許容差を低減できる。これにより、幾つかの個々の可撓性部分が常に完全係止位置にあるようにする。個々の別々の部分を、パネル縁部に固定的に連結された可撓性タングと組み合わせ、水平方向に延びる溝に入れてもよい。
【０１０４】
本発明は、更に、フロアボードを垂直方向で係止する上で使用されるように設計された、押出しによって形成された別体の可撓性タングにおいて、上接触面６３及び／又は下接触面６４及び／又は係止面６５が均等化されていることを特徴とする可撓性タングを備えている。このようなタング及び縁部区分を除去した上文中に説明したタングは、更に、図５ａ乃至図５ｃに示す形状と同様の形状を備えていてもよく、可撓性タングは、可撓性内スナップタブ又は可撓性外スナップタブだけを備えている。
【０１０５】
機械加工、研削等、及び同様の製造工程により、押出しによって得られたままの表面とは異なる表面を形成する。これは、多くの場合、顕微鏡によって検出できる。このような機械加工は、タングと変位溝との間の摩擦を増大したり減少したりするのにも使用できる。
【０１０６】
図２２ａ乃至図２２ｃは、垂直方向重ね即ち垂直方向係止を示す。一つのパネル１’を、好ましくは、垂直平面ＶＰに沿って別のパネル１に向かって移動する。重ねパネル１’が可撓性タング３０の外部分、好ましくは可撓性外部分６１と接触するとき、可撓性内部分６２が垂直に曲げられ、可撓性タングが内方に変位溝４０内に変位する。この場合、好ましくは、摩擦連結によって連結される。この可撓性外部分６１は、図２２ｂに示すように、徐々に曲がり始める。最終的には、内部分６２及び外部分６１の両方がその初期位置に向かってぽんと戻り、可撓性タングは変位溝４０内でタング溝２０に向かって変位する可撓性タング３０の係止面６５がタング溝２０の一部に当たって係止する。タングは、変位溝と、係止中にタングが容易に変位し且つある程度傾くことを許容する僅かの遊隙を伴って連結されていてもよい。可撓性外部分６１は、好ましくは、係止中、主として水平方向に変位し、上ニー７０を中心として僅かに旋回する。下接触面６５は、水平平面に対し、好ましくは１０°よりも小さい所定の角度をなしていてもよく、これにより係止強度を向上する。
【０１０７】
図２３ａは、傾け移動によって係止できるタング係止システムを示す。新たなパネル１’は、上部分に係止エレメント８ａが設けられたタング１０を含む第１コネクタを有する。第１パネル１’’は、上リップ６ｂ及び下リップ６ａを持つアンダーカットタング溝９と、上リップ６ｂに形成された、下リップ６ａに向かって下方に延びる係止溝１４ａとを有する。第１及び第２のコネクタがこれらのパネルを垂直方向及び水平方向で係止する。下リップ６ａは、好ましくは、垂直平面ＶＰを越えて延びており、好ましくは、タング１０の下部分と接触する水平接触面を有する。係止システムは、例えば、図２３ａに示すように、１５°を越える角度で三つの接触点ＣＰ１、ＣＰ２、及びＣＰ３を持つように設計されていてもよい。変形例として、上文中に説明した全ての実施例のストリップ係止システムにタングロックを使用してもよい。長縁部に設けられたタングロックは、短縁部に設けられたフックシステムと組み合わせることができる。これは、好ましくは、図２４ｄに示すように水平方向にしか係止しない。
【０１０８】
図２４ａは、二つのタング１０、１０’及び二つの対応するタング溝９、９’を含む係止システムを示す。この係止システムは、長縁部を、傾けで、スナップ嵌めで、又はタング及びストリップを垂直方向スナップ作用を可能にするように調節した場合には垂直方向係止で係止するのに使用できる。このようなシステムは、接触点を四つ以上持っていてもよく、接合部に沿った摩擦はかなり大きい。
【０１０９】
図２４ｂは、別体のストリップを用いた係止システムを示す。この別体のストリップは、長縁部を図２４ａの実施例と同じ方法で係止するのにも使用できる。このようなストリップは、コア材料よりも好ましい摩擦特性持つ材料又は表面を備えていてもよい。
【０１１０】
図２４ｃは、可撓性であってもよいし剛性であってもよい別体のタング１０’を含む係止システムを示す。このタング１０’は、摩擦特性を向上するため、又は材料を節約するため、長縁部及び／又は短縁部でストリップパネル１’’又は重ねパネル１’に連結できる。
【０１１１】
図２４ｄは、水平方向にしか係止しないフックシステムを示す。
【０１１２】
図２４ｅは、可撓性タング３０がコアと一部品をなして形成された係止システムの一実施例を示す。アンダーカット溝７１を可撓性タング３０の後側に形成することにより、タングの可撓性を高めることができる。このような溝は、好ましくは、短縁部を機械加工する場合、スクレーピング工具によって形成できる。このようなスクレーピング技術又はブローチ技術を使用して、押出しプラスチック形材と同様の先進の形状を、ＨＤＦ等のファイバをベースとした材料で形成できるが、これは堅木やプラスチック材料でも行うことができる。可撓性タング３０は、大型の回転工具で、外部分が上方に延びる重ねパネル１’に形成してもよい。係止システムは、更に、可撓性タングを各縁部に一つずつ、二つ備えていてもよい。可撓性タングの木材ファイバは、強度及び可撓性を向上するため、例えばバインダー７０で含浸及び／又はコーティングしてあってもよい。含浸は、タング又は縁部の形成前に行ってもよいし、形成後に行ってもよい。係止システムの縁部全体又は部分、例えばタング溝２０等、係止エレメント８、又は係止溝１４もまた、含浸及び／又はコーティングが施してあってもよい。アンダーカット溝は、強度及び可撓性を向上するため、可撓性材料で満たされていてもよい。垂直方向重ね中にストリップ６及び／又は係止エレメント８が撓むことができる場合には、垂直方向重ねを容易に行うことができる。係止システムのワックスは、係止を容易にする。重ねパネル１’のストリップの上方の本質的に垂直な溝７３、又はストリップパネル１の係止エレメント８と隣接したストリップ６のキャビティ７２により、別の係止システムの可撓性を向上し、部分を更に可撓性にできる。ストリップ及び／又はバランシング層の下側の部分７８を除去してもよく、これによりストリップの可撓性を高め、下張り床に向かう曲げを更に容易にできる。重ねパネルは、突出部７４を備えていてもよく、好ましくは、更に、図２７ｃに説明する種類の係止面を備えていてもよい。可撓性タングは、別の材料から形成されていてもよく、この場合、可撓性タングは、接着、摩擦、又はスナップ嵌めによってパネルに固定的に連結される。このような別の材料は、例えば、最終的な機械加工前に縁部に連結できる比較的局所的な縁部分７７であってもよい。アンダーカット溝７１は、更に、別の材料７７をパネルの縁部に連結する前に予備成形されていてもよい。このような連結は、個々のパネル縁部に形成されていてもよく、又はパネルボードに形成されていてもよく、その後、これを切断して個々のフロアパネルにする。係止システムの主要部分を形成するように、別の材料７５、７６が、ストリップパネル１及び／又は重ねパネル１’の縁部に連結されていてもよい。このような別の材料は、木材フロアでは、上表層及び下バランシング層に接着されていてもよい。別体の材料は、例えば、硬質であり且つ可撓性があるラバーウッドや樺材等の堅木や、例えばアクリルバインダー等のバインダーを含浸した木材、プラスチック材料、木材ファイバ材料及びフェノールで形成された高密度積層体で形成されていてもよく、これは、更に、ガラスファイバ、ＨＤＦ又はバインダーで強化したＨＤＦ、ファイバ配向が本質的に垂直なＨＤＦ、木材ファイバ及び／又はプラスチック材料及び／又はガラスファイバを含む幾つかの層を持つ材料が含まれる。このような材料は、別々に使用してもよいし組み合わせて使用してもよい。係止システムは、勿論、上文中に説明した原理に従ってアンダーカット溝７１なしで形成されてもよく、例えば、適当な材料及び接合部形体を使用して必要な可撓性を得ることができるのであれば、図５ｅで説明した実施例に従って形成されていてもよい。
【０１１３】
係止システムの一部又は全体の含浸又はコーティングを行う上で、メラミン、尿素、フェノール、ＰＰやＰＵＲ等の熱可塑性材料等の多くの化学物質を使用できる。このような化学物質は、例えば、熱、高周波、ＵＶ、等によって、圧力下で又は圧力なしで硬化させることができる。
【０１１４】
可撓性タング７０は、標準的なＨＤＦ材料では、１ｍｍの数十分の一だけ撓むことができる。これは、特に積層フロアで垂直方向係止を行うのに十分である。含浸及び／又はコーティングにより、この可撓性を大幅に向上できる。
【０１１５】
本発明によれば、垂直方向重ね又は垂直方向係止で係止できる短縁部係止システムを含む好ましい実施例が提供される。この実施例は、係止システムの縁部にストリップ６、係止エレメント８、下方に延びる可撓性タング３０が設けられている。この可撓性タングは、パネルコアと一部品をなして形成されているか或いは、別の材料で形成されており、別の材料で形成された場合、コアに固定的に連結される。可撓性タング３０は、その後側にアンダーカット溝７１を備えている。
【０１１６】
図２５ａ乃至図２５ｃは、主として木材ファイバをベースとしたコア材料で形成された係止システムで最高三点接触角度(highest three point contact angle) を正しく決定する方法を示す。積層体フローリングの連結だけに、市販の数百の異なる係止システムが使用されている。これらの多くでは、最高三点接触角度の計測が比較的容易である。これを図２５ａに示す。幅がＷ２で長さが約１００ｍｍの試料を、上縁部が接触した状態で、係止溝と係止エレメントとの間の接触により抵抗が生じるまで、設置角度から下方に傾ける。試料は、この位置で最高三点接触角度に至り、その上方に傾いた位置を維持でき、試料の重量により下張り床まで下方に落下しない。このような係止システムは、三つの点が、上縁部の接触点ＣＰ３、タングの上部分と溝との接触点ＣＰ１、及び係止エレメント／係止溝接触点ＣＰ４を含むことを特徴とする。係止システムは、しかしながら、図２５ｂ、図２５ｃに示す設計を備えていてもよい。この場合、三つの接触点は、タングの上下の部分の接触点及び上縁部の接触点（ＣＰ１、ＣＰ２、ＣＰ３）である。しかしながら、このような係止システムの幾つかは、上方に傾いた位置を維持しない。このようなシステムでは、接合部の断面を顕微鏡で分析しなければならない。ほぐれたファイバにより三点接触角度を決定するのが困難である場合には、図１６に説明したように摩擦を計測しなければならない。摩擦の上昇は、係止システムの追加の接触点に達したことを示す。
【０１１７】
図２６ａ乃至図２６ｄは、垂直方向重ね中の長縁部の変位に対抗する又は阻止する、短縁部の係止システムの一実施例を示す。図２６ａは、図４ａに示すように重ねを開始する縁部分の近くでの短側部係止システムのＢ−Ｂ断面を示す。この係止システムは、例えば図１乃至図３、図５、及び図８と関連して上文中に説明したように、係止エレメント８を備えたストリップ６と、ストリップパネル１の別体の可撓性タング３０と、重ねパネル１’のタング溝２０及び係止溝１４とを含む。係止面は本質的に垂直であり、垂直平面ＶＰと平行である。好ましくは、この係止システムは、重ねパネル１’と可撓性タング３０との間に接触がない場合、図２６ａに示すように、係止エレメント８の係止面８ａの上部分が係止溝１４の係止面１４ａの下部分と接触するように設計されていてもよい。これは、長縁部と近接したタング部分がないため、又はタングが弓形であり、重ねパネル１’と接触する突出部分がないため、行うことができる。図２６ｂは、図４ａのＣ−Ｃでの断面を示す。係止面８ａ、１４ａは、タング３０が重ねパネルと接触したとき、分離を阻止する。分離は、タング及び重ねパネルが本質的に及び好ましくは完全に垂直であり、これらの係止面がかなりの距離に沿って垂直方向に延び、そのためこれらの係止面が好ましくは１０°又はそれよりも高い角度で変位を阻止する場合、可撓性タング３０が長縁部と近接して位置決めされた実施例でも、係止面８ａ、１４ａにより阻止される。係止面の高さＨは、好ましくは、フロアの厚さＴの少なくとも０．１倍であり、更に好ましくは、０．１５倍である。垂直係止面は、約０．２×Ｔ又はそれ以上の高さＨを持つように形成されていてもよい。
【０１１８】
本発明の主な原理内で幾つかの変形例が可能である。図２６ｄは、係止溝１４の係止面１４ａが上述の必要条件を満たしさえすれば機能を等しくできるということを示す。機能は、係止溝１４ｂが、例えば外縁部に向かって弓形をなしている場合、垂直平面に沿って垂直に配置された少なくとも二つの部分があり、距離が約０．１×Ｔである場合、同じにできる。
【０１１９】
図２７ａは、短縁部の係止エレメント８及び係止溝１４を使用して分離を阻止する実施例を示す。係止エレメント８の縁部８ａは第１パネル１’’の長縁部５ｂと近接して配置されるのが有利である。これは、この縁部が、新たなパネルの係止溝に比較的高い角度で入り込むためである。長縁部の近くで係止するように可撓性タングを位置決めできる。可撓性タング３０は、この実施例では、押出し形材であり、縁部区分６８を切除することにより、重ね中の水平方向変位を容易にする。短縁部に設けられた高く垂直な係止面は、押出しプラスチック形材でできた可撓性タングを持つ係止システムに特に適しており、特にこのような形材が可撓性外スナップタブを一つしか備えていない場合、可撓性が限定されれるため、大きな分離圧力を発生する。
【０１２０】
図２７は、可撓性タング３０を長縁部５ｂに向かって更に大きく移動でき、コンパクトなタング係止システムを長縁部で使用した場合、このような係止システムが垂直平面ＶＰを越えて大きく突出したストリップ６を含まないため、比較的高い角度で長縁部に沿って変位しないようにするということを示す。
【０１２１】
図２７ｃは、好ましくは押出しによって形成した可撓性タング３０及びストリップ６の係止エレメント８と、重ねパネル１’の係止溝１４との間に本質的に垂直な係止面を持つ、係止システムを示す。重ねパネル１’は、係止溝１４の係止面と隣接した突出部７４を含む。この突出部は、ストリップ６に設けられた隣接したキャビティ７２に受け入れられる。好ましくは、本質的に水平な下接触面２４が、隣接したストリップ接触面６’に対して垂直方向で係止する。この形体は、密度が高いコアの下部分にキャビティが形成されるため、ＨＤＦコアを持つフローリングで非常に適している。キャビティは、係止システムの強度を限られた程度だけ減少する。垂直な係止面の高さＨは、好ましくは、少なくとも０．１×Ｔである。フロアの収縮時に亀裂が生じないようにするため、及び別体のタング３０を変位溝４０に固定するのを容易にするため、係止システムの設計は、好ましくは、係止エレメント８が、変位溝４０の下部分を含む水平平面Ｈ２の下に配置され、係止溝１４は、タング溝２０の内部分及び最も下の部分を含む水平平面Ｈ１の下に配置されるようになっている。
【符号の説明】
【０１２２】
１、１’  フロアパネル
４ａ、４ｂ  短縁部接合縁
６  係止ストリップ
８  係止エレメント
１４  係止溝
２０  タング溝
２１  上部分
２２  タング係止面
２３  摺動面
２４  垂直係止面
３０  可撓性タング
３１  丸みを付けた外部分
３２  摺動面
３３  上タング変位面
３４  内部分
３５  下タング変位面
４０  変位溝
４１  上部分
４２  上開口部
４３  上溝変位面
４４  底面
４５  下溝変位面
４６  下開口部
６２  後面
ＨＰ  水平平面
ＶＰ  垂直平面
Ｄ１  垂直方向
Ｄ２  水平方向
Ｐ１  溝部分
Ｐ２  突出部分
【図１ａ−１ｄ】
0005542443.tif 000002
【図２ａ−２ｂ】
0005542443.tif 000003
【図３ａ−３ｂ】
0005542443.tif 000004
【図４ａ−４ｄ】
0005542443.tif 000005
【図５ａ】
0005542443.tif 000006
【図５ｂ】
0005542443.tif 000007
【図５ｃ】
0005542443.tif 000008
【図５ｄ】
0005542443.tif 000009
【図５ｅ】
0005542443.tif 000010
【図６ａ】
0005542443.tif 000011
【図６ｂ】
0005542443.tif 000012
【図６ｃ】
0005542443.tif 000013
【図７ａ】
0005542443.tif 000014
【図７ｂ】
0005542443.tif 000015
【図７ｃ】
0005542443.tif 000016
【図７ｄ】
0005542443.tif 000017
【図８ａ−８ｄ】
0005542443.tif 000018
【図９ａ】
0005542443.tif 000019
【図９ｂ】
0005542443.tif 000020
【図９ｃ】
0005542443.tif 000021
【図９ｄ】
0005542443.tif 000022
【図９ｅ】
0005542443.tif 000023
【図９ｆ】
0005542443.tif 000024
【図９ｇ】
0005542443.tif 000025
【図９ｈ】
0005542443.tif 000026
【図９ｉ】
0005542443.tif 000027
【図９ｊ】
0005542443.tif 000028
【図９ｋ】
0005542443.tif 000029
【図９ｌ】
0005542443.tif 000030
【図９ｍ】
0005542443.tif 000031
【図９ｎ】
0005542443.tif 000032
【図９ｏ】
0005542443.tif 000033
【図１０ａ】
0005542443.tif 000034
【図１０ｂ】
0005542443.tif 000035
【図１０ｃ】
0005542443.tif 000036
【図１１ａ】
0005542443.tif 000037
【図１１ｂ】
0005542443.tif 000038
【図１１ｃ】
0005542443.tif 000039
【図１２ａ】
0005542443.tif 000040
【図１２ｂ−１２ｃ】
0005542443.tif 000041
【図１３ａ】
0005542443.tif 000042
【図１３ｂ】
0005542443.tif 000043
【図１３ｃ】
0005542443.tif 000044
【図１３ｄ】
0005542443.tif 000045
【図１４ａ】
0005542443.tif 000046
【図１４ｂ】
0005542443.tif 000047
【図１４ｃ】
0005542443.tif 000048
【図１４ｄ】
0005542443.tif 000049
【図１５ａ】
0005542443.tif 000050
【図１５ｂ】
0005542443.tif 000051
【図１５ｃ】
0005542443.tif 000052
【図１６ａ】
0005542443.tif 000053
【図１６ｂ】
0005542443.tif 000054
【図１６ｃ】
0005542443.tif 000055
【図１６ｄ】
0005542443.tif 000056
【図１７ａ】
0005542443.tif 000057
【図１７ｂ】
0005542443.tif 000058
【図１７ｃ】
0005542443.tif 000059
【図１８ａ】
0005542443.tif 000060
【図１８ｂ】
0005542443.tif 000061
【図１８ｃ】
0005542443.tif 000062
【図１９ａ】
0005542443.tif 000063
【図１９ｂ】
0005542443.tif 000064
【図１９ｃ】
0005542443.tif 000065
【図２０ａ】
0005542443.tif 000066
【図２０ｂ】
0005542443.tif 000067
【図２０ｃ】
0005542443.tif 000068
【図２１ａ−２１ｃ】
0005542443.tif 000069
【図２１ｄ】
0005542443.tif 000070
【図２２ａ−２２ｃ】
0005542443.tif 000071
【図２３ａ】
0005542443.tif 000072
【図２３ｂ】
0005542443.tif 000073
【図２４ａ】
0005542443.tif 000074
【図２４ｂ】
0005542443.tif 000075
【図２４ｃ】
0005542443.tif 000076
【図２４ｄ】
0005542443.tif 000077
【図２４ｅ】
0005542443.tif 000078
【図２５ａ】
0005542443.tif 000079
【図２５ｂ】
0005542443.tif 000080
【図２５ｃ】
0005542443.tif 000081
【図２６ａ】
0005542443.tif 000082
【図２６ｂ】
0005542443.tif 000083
【図２６ｃ】
0005542443.tif 000084
【図２６ｄ】
0005542443.tif 000085
【図２７ａ】
0005542443.tif 000086
【図２７ｂ】
0005542443.tif 000087
【図２７ｃ】
0005542443.tif 000088